(57)【要約】      （修正有）【課題】ドア構造の複雑さを抑制しつつ閉じた状態のドアを人が認識しやすいようにする透明部認識装置を提供する。【解決手段】自動ドア１におけるドア板５の表面の全域に有機ＥＬ発光体を取り付ける。人２１が建物３の出入り口に近づくと、光センサが人を感知して有機ＥＬ発光体が発光し、ドア板全体が発光した状態となる。人がさらに自動ドアに近づき、マットスイッチ１９が人を感知すると、ドア板が開き通過可能となる。【選択図】図１
0003198875.tif 000002
【実用新案登録請求の範囲】
【請求項１】
透明なドア板や仕切り板などの板状の透明部の近傍に配置されて人を感知するセンサと、
前記透明部の表面に取り付けられ、非通電時には透明もしくは半透明で、前記センサが前記透明部の近傍に位置する人を感知したときに通電されて発光する発光体と、を備えることを特徴とする透明部認識装置。
【請求項２】
前記発光体は、前記板状の透明部の少なくとも一方の面の全域に設けられていることを特徴とする請求項１に記載の透明部認識装置。
【請求項３】
前記発光体は、有機ＥＬ発光素子を含むことを特徴とする請求項１または２に記載の透明部認識装置。
【考案の詳細な説明】
【技術分野】
【０００１】
本考案は、透明なドア板や仕切り板などの板状の透明部を認識するための透明部認識装置に関する。
【背景技術】
【０００２】
建物の出入り口に設置されているドアが透明なガラスなどで構成されている場合、人が出入り口を通して出入りする際に、閉じた状態の透明なドアに衝突する恐れがある。また、オフィスなどにおける透明な仕切り板に対しても人が衝突する恐れがある。従来では、ドアの戸先に発光体を取り付け、ドアの開閉動作に連動して発光体を発光させて、戸先の位置を人に認識させる技術が知られている（下記特許文献１参照）。
【先行技術文献】
【特許文献】
【０００３】
【特許文献１】特開２００１−９８８４１号公報
【考案の概要】
【考案が解決しようとする課題】
【０００４】
しかし、上記した従来の技術は、その端部に位置する戸先に発光体を設けているために、閉じた状態のドアを人が認識しにくく、さらに別の認識手段としてディスプレイをドアに設けている。このように従来の技術は、閉じた状態のドアをより認識しやすくするために、ディスプレイを設けるなどドア全体の構造が複雑化してしまう。
【０００５】
そこで、本考案は、構造の複雑さを抑制しつつ透明なドア板や仕切り板などの透明部を人が認識しやすいようにすることを目的としている。
【課題を解決するための手段】
【０００６】
本考案は、透明なドア板や仕切り板などの板状の透明部の近傍に配置されて人を感知するセンサと、透明部の表面に取り付けられ、非通電時には透明で、センサが透明部の近傍に位置する人を感知したときに通電されて発光する発光体とを備えることを特徴とする。
【考案の効果】
【０００７】
本考案によれば、センサが透明部の近傍に位置する人を感知したときに、透明部表面の発光体が発光するので、透明部を、その表面に取り付けてある発光体によって容易に認識することができる。この場合、発光体を単に透明部の表面に取り付けた構成なので、構造の複雑化は抑制されている。
【図面の簡単な説明】
【０００８】
【図１】本考案の一実施形態に係わる透明部認識装置を適用したドア板の全体が発光している状態を示す正面図である。
【図２】複数の有機ＥＬ発光体をドア板の表面に取り付けた一例を示す模式図である。
【図３】図２のＡ−Ａ断面図である。
【図４】有機ＥＬ発光体の発光及びドア板の開閉を行うための制御ブロック図である。
【図５】有機ＥＬ発光体の発光及びドア板の開閉を行う際の動作を示すフローチャートである。
【図６】図１のドア板が発光している状態から、ドア板が開き始める状態を示す作用説明図である。
【図７】ドア板が閉じ、かつ、有機ＥＬ発光体の発光が停止した状態を示す作用説明図である。
【考案を実施するための形態】
【０００９】
以下、本考案の実施の形態を図面に基づき説明する。
【００１０】
図１は、本考案の一実施形態に係る透明部認識装置を自動ドア１に適用した例を示す。自動ドア１は、ビルやマンションなどの建物３の出入り口となる開口部３ａに設置され、一対のドア板５が、互いに接近離反するように、図１中で左右方向に開閉移動する。ドア板５は、透明なガラス板で構成してあり、透明なドア板や仕切り板などの板状の透明部を構成する。
【００１１】
上記した一対の各ドア板５の図１中で紙面裏側（建物の内側）の表面のほぼ全域に、有機ＥＬ発光体７を取り付けている。図１は、有機ＥＬ発光体７の後述する有機ＥＬ発光素子９が発光している状態を示しているが、有機ＥＬ発光体７自体は図示していない。ここでの有機ＥＬ発光体７は、図２の模式図に示すように、ドア板５の表面（建物の内側の表面）のほぼ全域にわたり複数並べて配置することで、ドア板５の表面の全域に取り付けたことになる。
【００１２】
有機ＥＬ発光体７は、図３に示すように、透明もしくは半透明な発光体としての有機ＥＬ発光素子９と、有機ＥＬ発光素子９のドア板５と反対側に位置する陽極１１と、有機ＥＬ発光素子９のドア板５側に位置する陰極１３と、陰極１３のドア板５側に位置する有機ＥＬ基板１５とを備えている。このような有機ＥＬ発光体７を図２のように複数並べて配置した状態で、その上から透明な保護フィルム１７で覆う。陽極１１、陰極１３及び有機ＥＬ基板１５は、透明もしくは半透明な導電性材料で構成してあり、ここではＩＴＯ（Ｉｎｄｉｕｍ  Ｔｉｎ  Ｏｘｉｄｅ）を使用している。
【００１３】
有機ＥＬ発光体７は、建物３に自動ドア１を設置する際に、ドア板５にあらかじめ取り付けてもよく、建物３に既に設置されている自動ドア１のドア板５に後付することもできる。有機ＥＬ発光体７のドア板５への取付方法としては、例えば透明な接着剤を利用して貼り付ける。
【００１４】
また、自動ドア１を境にして建物３の外側と内側のそれぞれのドア近傍には、マットスイッチ１９を配置している。なお、図１において、建物３の内側のマットスイッチは図示省略している。マットスイッチ１９は、人２１が載ることでオン（ＯＮ）となり、図４に示す制御部２３が、一対のドア板５を開放する。
【００１５】
さらに、人２１が建物３の外側あるいは内側にて、マットスイッチ１９に載る前の状態、つまり、人２１がマットスイッチ１９よりも手前あるいは側方に位置する状態で、人を感知するセンサとなる光センサ２５を、建物３の外側あるいは内側における自動ドア１の周辺に設置している。なお、図１では光センサ２５を省略している。
【００１６】
光センサ２５は、人２１を感知すると、図４に示す制御部２３が、ドア板５が閉じた状態で有機ＥＬ発光素子９を発光させる。すなわち、有機ＥＬ発光素子９は、非通電時には透明で、通電時に発光した状態となる。
【００１７】
なお、図４の制御ブロック図におけるドア板５は、該ドア板５を開閉駆動するモータなどの駆動部を含むものとし、当該駆動部を制御部２３が駆動制御する。また、図４中の有機ＥＬ発光素子９に対して制御部２３は、図３中の陽極１１、陰極１３間に電圧を印加するものとする。
【００１８】
次に、本考案の一実施形態に係る透明部認識装置の作用を、図５のフローチャートに基づき説明する。
【００１９】
図１のように、人２１が建物の内部に入ろうとして、自動ドア１に近づくと、図４に示す光センサ２５が人２１を感知する。そのとき、人２１はマットスイッチ１９にまだ乗っていない。制御部２３は、光センサ２５が人２１を感知した信号を取り込み、有機ＥＬ発光素子９を図１のように発光させる（ステップＳ１）。有機ＥＬ発光素子９は、ドア板５のほぼ全域に配置してあるので、この有機ＥＬ発光素子９の発光によってドア板５の全体が発光した状態となる。
【００２０】
これにより、図１のように、ドア板５の直前に位置して建物３の中に入ろうとする人２１にとって、閉じた状態のドア板５を容易に認識することができ、閉じた状態のドア板５に人２１が衝突するのをより確実に抑制できる。なお、有機ＥＬ発光素子９の発光形態としては、常時点灯でもよく、点滅でもよい。また、発光色は、使用する有機ＥＬ発光素子によって適宜変更可能である。
【００２１】
有機ＥＬ発光素子９が発光した状態で、図６のように、人２１がさらにドア板５に近づいてマットスイッチ１９に乗ると、マットスイッチ１９がオンとなり、このオン信号を制御部２３が取り込む。マットスイッチ１９のオン信号を取り込んだ制御部２３は、ドア板５を開放させる（ステップＳ２）。
【００２２】
ドア板５が開放した状態で、人２１が、建物３の内側に入って内側の図示しないマットスイッチ１９に乗る。この状態ではドア板５は開放したままである。人２１が、内側のマットスイッチ１９から離れて当該マットスイッチ１９がオフ（外側のマットスイッチ１９もオフ）になると、ドア板５が閉じる（ステップＳ３）。
【００２３】
人２１が内側のマットスイッチ１９から離れ、さらに内側の光センサ２５が人を感知しない状態になると、有機ＥＬ発光素子９の発光が停止する（ステップＳ４）。図７は、ドア板５が閉じ、かつ、有機ＥＬ発光素子９の発光が停止した状態を示す。建物３の内側及び外側の各光センサ２５は、人２１が、開放状態の自動ドア１を通過する間は、人２１を感知して発光しているものとする。
【００２４】
以上のように、本実施形態によれば、光センサ２５が人を感知することによって、有機ＥＬ発光素子９が発光し、ドア板５の全体が発光した状態となる。このため、建物３の中に入ろうとする人２１、あるいは建物３から外に出ようとする人は、自動ドア１の閉じた状態のドア板５を容易に認識することができ、閉じた状態のドア板５に衝突するのをより確実に抑制できる。この場合、有機ＥＬ発光体７を単にドア板５の表面に取り付けた構成なので、ドア構造の複雑化は抑制されている。
【００２５】
また、本実施形態では、有機ＥＬ発光体７は、透明なドア板５のほぼ全域に設けられている。このため、人２１は、閉じた状態のドア板５を、発光した状態の有機ＥＬ発光素子９によってより確実に認識することができる。
【００２６】
また、本実施形態では、発光体として有機ＥＬ発光素子９を含む有機ＥＬ発光体７を使用している。このため、透明なドア板５に合わせて、非通電時には有機ＥＬ発光体７を透明な状態とすることができ、閉じた状態のドア板５及び有機ＥＬ発光体７の全体を透明な状態とすることができる。
【００２７】
以上、本考案の実施形態について説明したが、これらの実施形態は本考案の理解を容易にするために記載された単なる例示に過ぎず、本考案は当該実施形態に限定されるものではない。本考案の技術的範囲は、上記実施形態で開示した具体的な技術事項に限らず、そこから容易に導きうる様々な変形、変更、代替技術なども含むものである。
【００２８】
例えば、上記した実施形態では、有機ＥＬ発光体７を、建物３の内側におけるドア板５の表面に取り付けているが、建物３の外側におけるドア板５の表面に取り付けてもよく、またドア板５の内側、外側の両方に取り付けてもよい。すなわち、有機ＥＬ発光体７は、ドア板５の少なくとも一方の面に設ければよい。
【００２９】
また、上記した実施形態では、有機ＥＬ発光体７を、ドア板５のほぼ全域に設けているが、ドア板５の表面における一部に設けてもよい。複数の有機ＥＬ発光体７を、ドア板５のほぼ全域に設けた場合には、発光させる有機ＥＬ発光体７を複数のうちの一部として個別に発光させてもよい。
【００３０】
また、上記した実施形態では、板状の透明部として自動ドア１のドア板５を例にとって説明したが、ドア板５は、自動ドアに用いられるものでなくてもよく、手動のドア板であってもよい。手動のドア板ではマットスイッチ１９は不要となる。さらに、板状の透明部として、例えばオフィス内を複数に区画する透明な仕切り板であってもよい。
【符号の説明】
【００３１】
５  透明なドア板（板状の透明部）
９  有機ＥＬ発光素子（発光体）
２５  光センサ（人を感知するセンサ）
【図１】
0003198875.tif 000003
【図２】
0003198875.tif 000004
【図３】
0003198875.tif 000005
【図４】
0003198875.tif 000006
【図５】
0003198875.tif 000007
【図６】
0003198875.tif 000008
【図７】
0003198875.tif 000009